(57)【要約】【課題】印刷条件を直接的に反映するメカニカルドットゲインを印刷物の反射濃度に基づいて測定するドットゲイン測定方法を提供する。【解決手段】ドットゲインの測定対象である対象網点から成る対象部分と、前記対象網点と比較してオプティカルドットが同等でメカニカルドットが小さい比較網点から成る比較部分とを印刷した印刷物における前記対象部分と前記比較部分を反射濃度において比較することにより前記対象網点のメカニカルドットゲインを測定するようにしたドットゲイン測定方法。【選択図】　図１
2004069451.tif 000002
【特許請求の範囲】
【請求項１】
ドットゲインの測定対象である対象網点から成る対象部分と、前記対象網点と比較してオプティカルドットが同等でメカニカルドットが小さい比較網点から成る比較部分とを印刷した印刷物における前記対象部分と前記比較部分とを比較することにより前記対象網点のメカニカルドットゲインを測定することを特徴とするドットゲイン測定方法。
【請求項２】
請求項１記載のドットゲイン測定方法において、前記比較網点は、前記対象網点と比較して個々の網点の面積が小さく、単位面積に含まれるすべての網点の周囲長の合計がほぼ同一の網点であることを特徴とするドットゲイン測定方法。
【請求項３】
請求項１または２記載のドットゲイン測定方法において、前記対象部分と前記比較部分とベタ部分（面積率１００％）と白紙部分（面積率０％）を有する印刷版を得る印刷版作製過程と、
前記印刷版を所定の印刷機において印刷し測定用印刷物を得る印刷過程と、
前記測定用印刷物における前記対象部分と前記比較部分と前記ベタ部分と前記白紙部分の濃度測定を行って各々の濃度値を得る濃度測定過程と、
前記対象部分と前記比較部分と前記ベタ部分と前記白紙部分の各々の濃度値から換算した前記対象部分と前記比較部分の各々の換算面積率を得る面積率換算過程と、
前記対象部分と前記比較部分の各々の換算面積率から各々の面積率（版面面積率またはそれに相当する面積率）を引算して各々のドットゲインを計算するドットゲイン計算過程と、
前記対象部分の前記ドットゲインから前記比較部分の前記ドットゲインを引算して前記対象部分のメカニカルドットゲインを計算するメカニカルドットゲイン計算過程と、
から成ることを特徴とするドットゲイン計測方法。
【発明の詳細な説明】
【０００１】
【発明の属する技術分野】
本発明は印刷の技術分野に属する。特に、網点の大小によって濃淡を再現する印刷におけるドットゲインの計測方法に関する。
【０００２】
【従来技術】
一般的に、印刷版における網点に対し印刷物における網点は太る傾向があり、その網点の太りをドットゲインという。特に５０％近辺の網点についてはドットゲインが顕著である。ドットゲインは印刷条件によって異なるものであり、印刷再現性に大きく影響する。したがってドットゲインを測定することが印刷条件を調整し印刷品質を管理する上で重要である。
【０００３】
ドットゲインは、たとえば下記の▲１▼〜▲４▼の手順で測定される。▲１▼網点面積率が１００％のベタ部分と平網部分の反射濃度を印刷物において測定する。▲２▼それらの反射濃度から所定の演算式（後述する）を適用してその平網部分の印刷物における網点面積率を演算する。▲３▼この印刷物における網点面積率と印刷版における網点面積率との差としてドットゲインを演算する。
【０００４】
【発明が解決しようとする課題】
しかしながら、このような従来の方法で測定したドットゲインは、印刷機の印圧によるインキの潰れなどに起因する物理的な網点変化から生じるメカニカルドットゲインだけを示すものではない。インキが着肉していない白紙の部位への照射光が、用紙の内部を拡散しインキ層を通して戻って来る反射光に起因するオプティカルドットゲインが含まれている。
【０００５】
印刷品質を評価する上では、両者を含むドットゲインを参照値とすることができる。しかし、オプティカルドットゲインは用紙そのものやそのインキ着肉部の光学的特性、網点の線数、等に依存して概ね決まるものであり、印刷時におけるインキの粘弾性、圧胴の胴仕立て、印圧などの印刷条件は反映しない。したがって、印刷条件を調整するための参照値としては、印刷条件を直接的に反映するメカニカルドットゲインだけの方が好適である。
【０００６】
本発明はこのような課題を解決するためになされたものであり、その目的は、印刷条件を直接的に反映するメカニカルドットゲインを印刷物の反射濃度に基づいて測定するドットゲイン測定方法を提供することにある。
【０００７】
【課題を解決するための手段】
上記課題は下記の本発明によって解決される。すなわち、
本発明の請求項１に係るドットゲイン測定方法は、ドットゲインの測定対象である対象網点から成る対象部分と、前記対象網点と比較してオプティカルドットが同等でメカニカルドットが小さい比較網点から成る比較部分とを印刷した印刷物における前記対象部分と前記比較部分を反射濃度において比較することにより前記対象網点のメカニカルドットゲインを測定するようにしたものである。
【０００８】
本発明によれば、対象網点と比較してオプティカルドットが同等でメカニカルドットが小さい比較網点を印刷物の反射濃度において比較することにより対象網点のメカニカルドットゲインが測定される。したがって、印刷条件を直接的に反映するメカニカルドットゲインを印刷物の反射濃度に基づいて測定するドットゲイン測定方法が提供される。
【０００９】
また本発明の請求項２に係るドットゲイン測定方法は、請求項１に係るドットゲイン測定方法において、前記比較網点は、前記対象網点と比較して個々の網点の面積が小さく、単位面積に含まれるすべての網点の周囲長の合計がほぼ同一の網点であるようにしたものである。本発明によれば、比較網点と対象網点のオプティカルドットゲインがほぼ一致する。その理由は、オプティカルドットゲインが網点の周囲長でほぼ決まることから、周囲長の合計がほぼ同一であればオプティカルドットゲインがほぼ一致することによる。したがって、簡易な引算でメカニカルドットゲインが導出される。
【００１０】
また本発明の請求項３に係るドットゲイン測定方法は、請求項１または２に係るドットゲイン測定方法において、前記対象部分と前記比較部分とベタ部分（面積率１００％）と白紙部分（網面積率０％）を有する印刷版を得る印刷版作製過程と、前記印刷版を所定の印刷機において印刷し測定用印刷物を得る印刷過程と、前記測定用印刷物における前記対象部分と前記比較部分と前記ベタ部分と前記白紙部分の濃度測定を行って各々の濃度値を得る濃度測定過程と、前記対象部分と前記比較部分と前記ベタ部分と前記白紙部分の各々の濃度値から換算した前記対象部分と前記比較部分の各々の換算面積率を得る面積率換算過程と、前記対象部分と前記比較部分の各々の換算面積率から各々の面積率（版面面積率またはそれに相当する面積率）を引算して各々のドットゲインを計算するドットゲイン計算過程と、前記対象部分の前記ドットゲインから前記比較部分の前記ドットゲインを引算して前記対象部分のメカニカルドットゲインを計算するメカニカルドットゲイン計算過程とから成るようにしたものである。
【００１１】
本発明によれば、印刷版作製過程において対象部分と比較部分とベタ部分と白紙部分の印刷版が得られ、印刷過程において印刷版は所定の印刷機において印刷され測定用印刷物が得られ、濃度測定過程において測定用印刷物における対象部分と比較部分とベタ部分と白紙部分の濃度測定が行われて各々の濃度値が得られ、面積率換算過程において対象部分と比較部分とベタ部分と白紙部分の各々の濃度値から換算した対象部分と比較部分の各々の換算面積率が得られ、ドットゲイン計算過程において対象部分と比較部分の各々の換算面積率から各々の面積率（版面面積率またはそれに相当する面積率）が引算され各々のドットゲインが計算され、メカニカルドットゲイン計算過程において対象部分のドットゲインから比較部分のドットゲインが引算されて対象部分のメカニカルドットゲインが計算される。したがって、印刷版作製過程、印刷過程、濃度測定過程、面積率換算過程、ドットゲイン計算過程、メカニカルドットゲイン計算過程を含む一連の過程によってメカニカルドットゲインが測定される。
【００１２】
【発明の実施の形態】
次に、本発明について実施の形態を説明する。まず、オプティカルドットゲインとメカニカルドットゲインの特性について説明する。そして、その特性に基づいてオプティカルドットゲインとメカニカルドットゲインを分別する本発明のドットゲイン測定方法の原理について簡単に説明しておく。
【００１３】
通常、オプティカルドットゲインは、同一線数の網点では、ライト部分やシャドウ部分よりも中間調部分で大きくなる。また、網点面積率を一定とすると線数が大きくなるほどオプティカルドットゲインは大きくなる。このことから、網点の周囲部分を主体としてオプティカルドットゲインが強く生じることが判る。すなわち、単位面積に含まれるすべての網点の周囲長の和が大きいほどオプティカルドットゲインは大きくなる。
【００１４】
一方、印刷物を拡大して観測すると、隣り合う同一寸法の網点ではメカニカルドットゲインは同一の大きさである。また、一般的に、網点が極めて小さいときには、網点にインキローラから転移するインキ量が少なくメカニカルドットゲインも小さい。このことから、メカニカルドットゲインは網点の寸法に係わるところが大きい。そして、同一条件で印刷が行なわれたときには同一寸法の網点ではメカニカルドットゲインは同一の大きさである。
【００１５】
以上のことから、メカニカルドットゲインの発生量が無視できるほどに小さい網点で構成され、かつ単位面積に含まれるすべての網点の周囲長の和が測定対象の網点（対象網点）と同一の比較用の網点（比較網点）を準備し、対象網点と比較網点の反射濃度の測定値からドットゲインを算出して対比することにより、対象網点のメカニカルドットゲインを推定することができる。
【００１６】
次に、本発明のドットゲイン測定方法の具体的な一例を挙げ、図１と図２を参照して説明する。図１と図２は、各々において同一寸法の網点を規則的に配列した平網の拡大図である。一般的に網点は、たとえば１５０線／インチのピッチ（「線数」と呼ぶ）で配列する図１〜図２に示すよりは寸法の小さい網点である。ここでは、図１に示す面積率４０％の平網における網点を対象網点としメカニカルドットゲインを測定するものとする。
【００１７】
図２（Ａ）は対象網点と同一の線数であって、網点面積率が１０％の平網を示している。また図２（Ｂ）は比較網点から成る平網を示している。図２（Ｂ）の網点（比較網点）は図２（Ａ）の網点と同一寸法であり線数がＲＯＯＴ（２）倍で網点面積率が２０％である。ここに、ＲＯＯＴ（ｘ）はｘの平方根を表し、ＲＯＯＴ（２）＝１．４１・・・である。
【００１８】
図１に示す面積率４０％の対象網点に比較して、同一線数で面積率１０％の図２（Ａ）に示す網点は、メカニカルドットゲインが無視できるほどに小さい。ここでは、演算を簡易化するために面積率４０％に対して（１／２）２＝１／４となる面積率１０％の網点をメカニカルドットゲインが無視できる網点とする。精度を更に高めたいときには、面積率のより小さい網点とすればよい。
【００１９】
同じ線数であるならば、面積率１０％の網点の一辺の長さを”Ｌ”とすると、面積率４０％の網点の一辺は”２Ｌ”となる。図１と図２には各々の網点の一辺の長さを比較して示してある。ここでは網点の形状を四角形としたが、当然のことながら、円形等のその他の形状であっても周囲長は１対２の比率となることに変りはない。
【００２０】
面積率４０％の網点が単位面積においてｎ×ｎ個あるとすると、その単位面積において網点の周囲長の総和は４×２Ｌ×ｎ×ｎ＝８Ｌｎ２となる。同じ線数で面積率１０％となる寸法の網点で、面積率４０％の網点と同一の単位面積における周囲長の総和を得るためには、同一の単位面積において、８Ｌｎ２／４Ｌ＝２ｎ２個の網点を配置する必要性がある。したがって、図２（Ｂ）に示すように、単位面積の１辺にＲＯＯＴ（２）×ｎ個の網点が並ぶこととなる。言い換えると線数がＲＯＯＴ（２）倍で面積率が２０％の網点になる。
【００２１】
図１に示す網点と図２（Ｂ）に示す網点は、単位面積における網点の周囲長の総和が等しいからオプティカルドットゲインもほぼ等しい。また、図２（Ｂ）に示す網点は図２（Ａ）に示す網点と寸法が同一であるから、図２（Ａ）と同様にメカニカルドットゲインを無視することができる網点である。この図２（Ｂ）に示す網点のことを比較網点と呼ぶ。
【００２２】
上述の図１に示す面積率４０％の対象網点から成る平網の対象部分と図２（Ｂ）に示す面積率２０％の比較網点から成る平網の比較部分、および面積率１００％のベタ部分と面積率０％の白紙部分とを有する印刷版を印刷版作製過程において作製する。ドットゲインは印刷条件によって異なるから、通常は、それらの部分を隣接して配置しすべての部分において印刷条件をできるだけ統一した印刷版とする。そして、印刷過程において、所定の印刷機においてその印刷版を使用して印刷し測定用印刷物を得る。
【００２３】
次に、濃度測定過程においてその測定用印刷物における対象部分と比較部分とベタ部分と白紙部分の濃度測定を行って各々の濃度値Ｄｔ１，Ｄｔ２，Ｄｓ，Ｄｐを得る。次に、面積率換算過程において対象部分と比較部分とベタ部分と白紙部分の各々の濃度値から換算した対象部分と比較部分の各々の換算面積率Ｓ１，Ｓ２を得る。その換算には、たとえば、下記の数１を適用することができる。
【数１】
Ｓ１＝１００×（１−１０−（Ｄｔ１−Ｄｐ））／（１−１０−（Ｄｓ−Ｄｐ））
Ｓ２＝１００×（１−１０−（Ｄｔ２−Ｄｐ））／（１−１０−（Ｄｓ−Ｄｐ））
【００２４】
次に、ドットゲイン計算過程において対象部分と比較部分の各々の換算面積率Ｓ１，Ｓ２から各々の面積率Ｓ１’，Ｓ２’（版面面積率またはそれに相当する面積率）を引算して各々のドットゲインΔＳ１＝Ｓ１−Ｓ１’，ΔＳ２＝Ｓ２−Ｓ２’を計算する。
次に、メカニカルドットゲイン計算過程において、対象部分のドットゲインΔＳ１から比較部分のドットゲインΔＳ２を引算して対象部分のメカニカルドットゲインΔＳｍ１＝ΔＳ１−ΔＳ２を計算する。
【００２５】
このように、対象部分と比較部分を印刷した測定用印刷物において濃度測定と演算により対象部分のメカニカルドットゲインΔＳｍ１を測定することができる。濃度測定には、一般に利用されている反射濃度計を適用することができる。また、パーソナルコンピュータのようなデータ処理装置と反射濃度計とのインタフェースを組むことによりデータの読み込みと演算を自動化することができる。
【００２６】
【発明の効果】
以上のとおりであるから、本発明の請求項１に係るドットゲイン測定方法によれば、印刷条件を直接的に反映するメカニカルドットゲインを印刷物の反射濃度に基づいて測定するドットゲイン測定方法が提供される。
また本発明の請求項２に係るドットゲイン測定方法によれば、簡易な引算でメカニカルドットゲインが導出される。
また本発明の請求項３に係るドットゲイン測定方法によれば、印刷版作製過程、印刷過程、濃度測定過程、面積率換算過程、ドットゲイン計算過程、メカニカルドットゲイン計算過程を含む一連の過程によってメカニカルドットゲインが測定される。
【図面の簡単な説明】
【図１】メカニカルドットゲインを測定する対象網点を規則的に配列した平網の拡大図である。
【図２】対象網点とオプティカルドットゲインがほぼ等しい比較網点を規則的に配列した平網の拡大図である。
【図１】
2004069451.tif 000003
【図２】
2004069451.tif 000004